(57)【要約】【課題】表示装置が備える筐体の姿勢を判別するまでの時間を短縮することができる技術を提供することを目的とする。【解決手段】表示装置は、面状光源１と、面状光源１からの光を用いて映像を表示する表示パネル４と、面状光源１および表示パネル４を収容し、姿勢を複数の変更パターンで変更可能な筐体５と、筐体５に収容され、筐体５の姿勢の変更前後における筐体５内の温度変化を測定する温度センサ２と、温度センサ２で測定された温度変化を用いて温度勾配の計算を行い、計算された温度勾配と、予め記憶されている筐体５の姿勢の変更パターン毎の温度勾配とに基づいて筐体５の現在の姿勢を判別する制御部６と、制御部６で判別された筐体５の現在の姿勢に応じて表示パネル４に表示される映像の向きを切替える表示切替え回路１２とを備えている。【選択図】図２
2020034710.tif 000002
【特許請求の範囲】
【請求項１】
面状光源と、
前記面状光源からの光を用いて映像を表示する表示パネルと、
前記面状光源および前記表示パネルを収容し、姿勢を複数の変更パターンで変更可能な筐体と、
前記筐体に収容され、前記筐体の姿勢の変更前後における前記筐体内の温度変化を測定する温度センサと、
前記温度センサで測定された前記温度変化を用いて温度勾配の計算を行い、計算された前記温度勾配と、予め記憶されている前記筐体の姿勢の変更パターン毎の温度勾配とに基づいて前記筐体の現在の姿勢を判別する制御部と、
前記制御部で判別された前記筐体の現在の姿勢に応じて前記表示パネルに表示される前記映像の向きを切替える表示切替え回路と、
を備えた、表示装置。
【請求項２】
前記筐体は正面視にて矩形状であり、
前記温度センサは、前記筐体の四隅のうち１つの隅に配置された、請求項１記載の表示装置。
【請求項３】
前記温度センサを複数備え、
前記筐体は正面視にて矩形状であり、
複数の前記温度センサのうち少なくとも２つの前記温度センサは、前記筐体の長辺と平行に配置された、請求項１記載の表示装置。
【請求項４】
複数の前記温度センサのうち少なくとも１つの前記温度センサは、前記筐体の長辺と平行に配置された前記温度センサの対角となる位置に配置された、請求項３記載の表示装置。
【請求項５】
前記制御部は、各前記温度センサで測定された前記温度変化を用いて温度勾配の計算を行い、計算された前記温度勾配と、予め記憶されている前記筐体の姿勢の変更パターン毎の前記温度勾配とに基づいて各前記温度センサ毎に前記筐体の現在の姿勢を判別した結果を集計し、最も判別された数の多い姿勢を前記筐体の現在の姿勢とする処理である多数決処理、または、最も判別された数の多い姿勢が複数ある場合に、最も大きい温度勾配に対応する姿勢を前記筐体の現在の姿勢とする処理である温度勾配の比較処理を行うことで前記筐体の現在の姿勢を判別する、請求項３または請求項４記載の表示装置。
【請求項６】
前記制御部は、各前記温度センサで測定された前記温度変化を用いて温度勾配の計算を行い、計算された前記温度勾配の組み合わせと、予め記憶されている前記筐体の姿勢の前記変更パターン毎の前記温度勾配の組み合わせとに基づいて前記筐体の現在の姿勢を判別する、請求項３または請求項４記載の表示装置。
【発明の詳細な説明】
【技術分野】
【０００１】
本発明は、筐体の姿勢を縦向きおよび横向きなど複数の方向に変更可能な表示装置に関するものである。
【背景技術】
【０００２】
近年、筐体を複数の姿勢に変更可能なテレビジョンなどの表示装置においては、ユーザーによって筐体の姿勢が頻繁に変更されるため、筐体の現在の姿勢を認識し、表示する映像の向きを姿勢に合うように切替える機能を搭載することが求められる。
【０００３】
例えば、特許文献１には、表示装置が備える筐体内の温度分布が筐体の姿勢毎に異なるという特性を利用し、筐体内に設置した２点以上の測定点における温度を比較することで、筐体における様々な方向の姿勢を安価に検出する構成が開示されている。
【先行技術文献】
【特許文献】
【０００４】
【特許文献１】特開２０１４−１７０６４１号公報
【発明の概要】
【発明が解決しようとする課題】
【０００５】
しかしながら、特許文献１に記載の表示装置では、姿勢変更後、２点以上の温度測定点について、それぞれの温度測定点の温度が飽和するまで待ってから温度を測定し、測定した温度を比較する必要がある。そのため、筐体の姿勢を検出するのに時間がかかってしまうという問題があった。
【０００６】
そこで、本発明は、表示装置が備える筐体の姿勢を判別するまでの時間を短縮することができる技術を提供することを目的とする。
【課題を解決するための手段】
【０００７】
本発明に係る表示装置は、面状光源と、前記面状光源からの光を用いて映像を表示する表示パネルと、前記面状光源および前記表示パネルを収容し、姿勢を複数の変更パターンで変更可能な筐体と、前記筐体に収容され、前記筐体の姿勢の変更前後における前記筐体内の温度変化を測定する温度センサと、前記温度センサで測定された前記温度変化を用いて温度勾配の計算を行い、計算された前記温度勾配と、予め記憶されている前記筐体の姿勢の変更パターン毎の温度勾配とに基づいて前記筐体の現在の姿勢を判別する制御部と、前記制御部で判別された前記筐体の現在の姿勢に応じて前記表示パネルに表示される前記映像の向きを切替える表示切替え回路とを備えたものである。
【発明の効果】
【０００８】
本発明によれば、制御部は、温度センサで測定された温度変化を用いて温度勾配の計算を行い、計算された温度勾配と、予め記憶されている筐体の姿勢の変更パターン毎の温度勾配とに基づいて筐体の現在の姿勢を判別する。したがって、温度センサ３で測定された温度が飽和するまで姿勢判別を待つ必要がないため、筐体の姿勢を判別するまでの時間を短縮することができる。
【図面の簡単な説明】
【０００９】
【図１】実施の形態１に係る表示装置の分解斜視図である。
【図２】実施の形態１に係る表示装置が備える制御部の構成を示す概略ブロック図である。
【図３】実施の形態１に係る表示装置が備える筐体の姿勢を変更した状態を示す図である。
【図４】実施の形態１に係る表示装置が備える筐体の姿勢変更に対する温度センサの測定温度の時間変化を示す図である。
【図５】実施の形態１に係る表示装置が備える温度センサを筐体の右端部に配置した場合における筐体の姿勢変更に対する温度センサの測定温度の時間変化を示す図である。
【図６】実施の形態１に係る表示装置が備える温度センサを筐体の下端部に配置した場合における筐体の姿勢変更に対する温度センサの測定温度の時間変化を示す図である。
【図７】実施の形態１に係る表示装置が備える筐体の姿勢判別の手順を示すフローチャートである。
【図８】実施の形態２に係る表示装置が備える制御部の構成を示す概略ブロック図である。
【図９】実施の形態２に係る表示装置が備える温度センサを筐体の長辺と平行に配置した場合における筐体の姿勢変更に対する温度センサの測定温度の時間変化を示す図である。
【図１０】実施の形態２に係る表示装置が備える温度センサを筐体の短辺と平行に配置した場合における筐体の姿勢変更に対する温度センサの測定温度の時間変化を示す図である。
【図１１】実施の形態２に係る表示装置が備える温度センサを筐体の四隅の対角となる位置に配置した場合における筐体の姿勢変更に対する温度センサの測定温度の時間変化を示す図である。
【図１２】実施の形態２に係る表示装置が備える筐体の姿勢判別の手順を示すフローチャートである。
【図１３】実施の形態３に係る表示装置が備える筐体の姿勢判別の手順を示すフローチャートである。
【発明を実施するための形態】
【００１０】
＜実施の形態１＞
本発明の実施の形態１について、図面を用いて以下に説明する。図１は、実施の形態１に係る表示装置１００の分解斜視図である。
【００１１】
図１に示すように、表示装置１００は、面状光源１、表示パネル４、筐体５、温度センサ２、および制御基板３を備えている。
【００１２】
面状光源１は、ＬＥＤ（ｌｉｇｈｔ  ｅｍｉｔｔｉｎｇ  ｄｉｏｄｅ）またはレーザダイオードで構成されている。表示パネル４は、反射シート、拡散板、拡散シート、プリズムシート、および偏向シートで構成され、面状光源１からの光を用いて映像を表示する。
【００１３】
筐体５は、前方筐体５ａと後方筐体５ｂとで構成され、正面視にて矩形状である。前方筐体５ａは、表示パネル４を介して面状光源１の発する光を外部へ露光する一面を有する。後方筐体５ｂは、表示パネル４、面状光源１、温度センサ２、および制御基板３を収容する。なお、表示装置１００のサイズについては特段規定しない。
【００１４】
温度センサ２は、筐体５の内部の温度変化を測定する。制御基板３は、制御部６（図２参照）および表示切替え回路１２（図２参照）を実装している。
【００１５】
次に、図２を用いて制御部６について説明する。図２は、表示装置１００が備える制御部６の構成を示す概略ブロック図である。
【００１６】
図２に示すように、制御部６は、受信回路７、Ａ／Ｄ（Ａｎａｌｏｇ／Ｄｉｇｉｔａｌ）変換回路８、温度勾配計算部９、判別部としてのＣＰＵ（Ｃｅｎｔｒａｌ  Ｐｒｏｃｅｓｓｉｎｇ  Ｕｎｉｔ）１０、およびメモリ１１を備えている。
【００１７】
受信回路７は、温度センサ２と接続されており、温度センサ２で測定された温度変化を示す情報を受信する。Ａ／Ｄ変換回路８は、連続したアナログ信号である温度変化を示す情報を、制御部６内で扱いやすい離散的かつ一定時間間隔でサンプリングされたデジタル信号に変換する。
【００１８】
温度勾配計算部９は、温度センサ２で測定された温度変化、より具体的には、デジタル信号へ変換された温度変化を示す情報を用いて、温度勾配の計算を行う。なお、温度勾配は、温度センサ２における測定温度の時間変化の傾きをいい、図４（ａ）に示すように、ある時刻ｔ１からΔｔの時間が経過した時刻ｔ２までの温度変化Ｔ２−Ｔ１を、要した時間ｔ２−ｔ１で除したものと定義する。
【００１９】
メモリ１１は、筐体５の姿勢の変更パターン毎の温度勾配を予め記憶している。ＣＰＵ１０は、温度勾配計算部９で計算された温度勾配と、メモリ１１に予め記憶されている筐体５の姿勢の変更パターン毎の温度勾配との比較を行い、温度勾配計算部９で計算された温度勾配に近い温度勾配をメモリ１１に予め記憶されている温度勾配の中から選択し、選択された温度勾配に対応する姿勢を筐体５の現在の姿勢として判別する。なお、温度勾配計算部９はＣＰＵで構成されており、温度勾配計算部９とＣＰＵ１０は１つのＣＰＵで構成されていてもよい。
【００２０】
次に、温度勾配計算部９で計算された温度勾配に近い温度勾配を選択する方法について説明する。メモリ１１に予め記憶されている筐体５の姿勢の変更パターン毎の温度勾配の値の前後に予め閾値が設けられている。温度勾配計算部９で計算された温度勾配が、ある温度勾配の閾値の間の範囲内に入ったときに、その温度勾配が、温度勾配計算部９で計算された温度勾配に近い温度勾配として選択される。また、温度勾配計算部９で計算された温度勾配がメモリ１１に記憶されているどの温度勾配の範囲にも入らなかった場合、ＣＰＵ１０は姿勢の変更が行われていないものと判別する。
【００２１】
選択された温度勾配に対応する変更パターンから筐体５の現在の姿勢を判別する方法について具体的に説明する。例えば、「横向きの姿勢１」、「横向きの姿勢２」、「縦向きの姿勢１」、および「縦向きの姿勢２」の４通りの姿勢を取り得る表示装置１００において、表示装置１００の筐体５の姿勢を「横向きの姿勢１」から変更させた場合を仮定する。
【００２２】
ＣＰＵ１０は、メモリ１１に予め記憶されている全１２通りの変更パターンの温度勾配のうち、前回の姿勢が「横向きの姿勢１」である、「横向きの姿勢１→横向きの姿勢２」、「横向きの姿勢１→縦向きの姿勢１」、「横向きの姿勢１→縦向きの姿勢２」の３通りの変更パターンの温度勾配を選び、その３通りの変更パターンの温度勾配と温度勾配計算部９で計算された温度勾配とを比較し、温度勾配計算部９で計算された温度勾配に近い温度勾配を選択する。ＣＰＵ１０は、選択した温度勾配が「横向きの姿勢１→縦向きの姿勢１」だった場合、筐体５の現在の姿勢を「縦向きの姿勢１」と判別する。
【００２３】
ＣＰＵ１０で判別された筐体５の現在の姿勢を示す姿勢情報は、制御部６の外部の表示切替え回路１２へ出力される。表示切替え回路１２は、入力された筐体５の現在の姿勢情報に応じて表示パネル４に表示される映像の向きを切替える。
【００２４】
次に、温度センサ２の配置位置について図３から図６を用いて説明する。図３は、筐体５の姿勢を変更した状態を示す図である。
【００２５】
まず、図３の紙面上側に示すように、筐体５の右下隅の２＿Ａの位置に温度センサ２を配置した場合について考える。なお、図３のア、イ、ウ、エの文字は筐体５の各辺を示し、筐体５の姿勢を変更したときのそれぞれの方向の関係性を容易に把握できるように記載している。
【００２６】
図３の紙面上側に示すように、筐体５を長辺がｘ軸に沿った横向きの姿勢で使用する状態を「横向きの姿勢１」とする。「横向きの姿勢１」からＯ点を中心に筐体５を矢印α方向に９０度回転させると、図３の紙面左側に示すように、長辺がｙ軸に沿った縦向きの姿勢になる。この状態を「縦向きの姿勢１」とする。
【００２７】
「横向きの姿勢１」からＯ点を中心に筐体５を矢印β方向に９０度回転させると図３の紙面右側に示すように、「縦向きの姿勢１」から１８０度反転した姿勢になる。この状態を「縦向きの姿勢２」とする。同様に、「横向きの姿勢１」からＯ点を中心に１８０度回転させると図３の紙面下側に示すように、長辺がｘ軸に沿った横向きの姿勢になる。この状態を「横向きの姿勢２」とする。
【００２８】
図４は、筐体５の姿勢変更に対する温度センサ２の測定温度の時間変化を示す図である。より具体的には、図４（ａ）は、「横向きの姿勢１」から「縦向きの姿勢１」に姿勢を変更した後の温度センサ２における測定温度の時間変化を示す図である。図４（ｂ）は、「横向きの姿勢１」から「縦向きの姿勢２」に姿勢を変更した後の温度センサ２における測定温度の時間変化を示す図である。図４（ｃ）は、「横向きの姿勢１」から「横向きの姿勢２」に姿勢を変更した後の温度センサ２における測定温度の時間変化を示す図である。なお、図面では、「横向きの姿勢」および「縦向きの姿勢」をそれぞれ「横向き」および「縦向き」として示す。
【００２９】
一般的に、表示装置などの電子機器内では部品の発熱によって暖められた空気が浮力により電子機器内上方に溜まりやすくなるため、電子機器内において上方ほど電子機器内の温度が高くなる。
【００３０】
「横向きの姿勢１」から「縦向きの姿勢１」へ姿勢を変更すると、温度センサ２の位置が筐体５の下部から筐体５の上部へ移動するため、温度センサ２に流入する熱量が急増し、姿勢を変更した前後の温度変化が大きくなり、図４（ａ）に示すように、温度勾配は大きくなる。
【００３１】
一方、「横向きの姿勢１」から「縦向きの姿勢２」へ姿勢を変更すると、温度センサ２の位置が筐体５の下部のままで変化が殆ど無いため、温度センサ２に流入する熱量に殆ど変化は無い。そのため、姿勢を変更した前後の温度変化も小さくなり、図４（ｂ）に示すように、温度勾配も小さくなる。
【００３２】
また、「横向きの姿勢１」から「横向きの姿勢２」へ姿勢を変更すると、温度センサ２の位置が筐体５の下部から筐体５の上部へ移動するが、「縦向きの姿勢１」のときの位置よりも高さが低くなる。そのため、図４（ｃ）に示すように、温度勾配は「縦向きの姿勢１」のときよりも小さくなる。このように、筐体５の姿勢の変更の仕方により、温度センサ２における測定温度の温度勾配が異なるため、この特性を利用して筐体５の姿勢判別を行う。
【００３３】
次に、図５を用いて、温度センサ２を正面視にて矩形状の筐体５の右下隅、右端部の上下方向中央部、右上隅に配置した場合について考える。図５は、温度センサ２を筐体５の右端部に配置した場合における筐体５の姿勢変更に対する温度センサ２の測定温度の時間変化を示す図である。より具体的には、図５（ａ）は、温度センサ２を筐体５の右下隅に配置した場合の温度センサ２の測定温度の時間変化を示す図である。図５（ｂ）は、温度センサ２を筐体５の右端部の上下方向中央部に配置した場合の温度センサ２の測定温度の時間変化を示す図である。図５（ｃ）は、温度センサ２を筐体５の右上隅に配置した場合の温度センサ２の測定温度の時間変化を示す図である。
【００３４】
図５（ａ）に示すように、筐体５を「横向きの姿勢１」にしたときの筐体５の右下隅に温度センサ２を配置すると、図３および図４の場合と同じになるため、筐体５を「横向きの姿勢１」から「縦向きの姿勢１」へ姿勢を変更したとき、温度センサ２の位置が筐体５の下部から筐体５の上部へ移動する。そのため、温度センサ２に流入する熱量が急増し、姿勢を変更した前後の温度変化が大きくなり、図５（ａ）の左下の曲線のように、温度勾配は大きくなる。
【００３５】
一方、「横向きの姿勢１」から「縦向きの姿勢２」へ姿勢を変更したとき、温度センサ２の位置が筐体５の下部のままで変化が殆ど無いため、温度センサ２に流入する熱量に殆ど変化は無く、姿勢を変更した前後の温度差も小さくなり、図５（ａ）の中下の曲線のように、温度勾配も小さくなる。
【００３６】
また、「横向きの姿勢１」から「横向きの姿勢２」へ姿勢を変更したとき、温度センサ２の位置が筐体５の下部から筐体５の上部へ移動するが、「縦向きの姿勢１」のときの位置よりも高さが低くなるため、図５（ａ）の右下の曲線のように、温度勾配は「縦向きの姿勢１」のときよりも小さくなる。
【００３７】
したがって、図５（ａ）に示すように、筐体５を「横向きの姿勢１」にしたときの筐体５の右下隅に温度センサ２を配置すると、筐体５を「横向きの姿勢１」から「縦向きの姿勢１」へ姿勢を変更させたときと、「横向きの姿勢１」から「縦向きの姿勢２」へ姿勢を変更したときと、「横向きの姿勢１」から「横向きの姿勢２」へ姿勢を変更したときとでは、それぞれ、温度センサ２の測定温度の温度勾配の値が異なる。そのため、姿勢判別を行うことが可能となる。
【００３８】
次に、図５（ｂ）に示すように、筐体５を「横向きの姿勢１」にしたときの筐体５の右端部の上下方向中央部に温度センサ２を配置すると、筐体５を「横向きの姿勢１」から「縦向きの姿勢１」へ姿勢を変更したとき、「横向きの姿勢１」から「縦向きの姿勢２」へ姿勢を変更したとき、「横向きの姿勢１」から「横向きの姿勢２」へ姿勢を変更したときの温度センサ２の測定温度は、それぞれ、図５（ｂ）の左下、中下、右下に示す曲線のように変化する。
【００３９】
このとき、筐体５を「横向きの姿勢１」から「横向きの姿勢２」へ姿勢を変更すると、図５（ｂ）の右下の曲線のように、姿勢を変更しても温度センサ２の測定温度は全く変化せず、温度勾配の値も０のままである。そのため、姿勢判別を行うことができない。
【００４０】
次に、図５（ｃ）に示すように、筐体５を「横向きの姿勢１」にしたときの筐体５の右上隅に温度センサ２を配置すると、筐体５を「横向きの姿勢１」から「縦向きの姿勢１」へ姿勢を変更したとき、「横向きの姿勢１」から「縦向きの姿勢２」へ姿勢を変更したとき、「横向きの姿勢１」から「横向きの姿勢２」へ姿勢を変更したときの温度センサ２の測定温度は、それぞれ、図５（ｃ）の左下、中下、右下に示す曲線のように変化する。
【００４１】
したがって、図５（ｃ）に示すように、筐体５を「横向きの姿勢１」にしたときの筐体５の右上隅に温度センサ２を配置すると、筐体５を「横向きの姿勢１」から「縦向きの姿勢１」へ姿勢を変更したときと、「横向きの姿勢１」から「縦向きの姿勢２」へ姿勢を変更したときと、「横向きの姿勢１」から「横向きの姿勢２」へ姿勢を変更したときとでは、それぞれ、温度センサ２の測定温度の温度勾配の値が異なる。そのため、姿勢判別を行うことが可能となる。
【００４２】
同様に、図６を用いて、温度センサ２を正面視にて矩形状の筐体５の右下隅、下端部の左右方向中央部、左下隅に配置した場合について考える。図６は、温度センサ２を筐体５の下端部に配置した場合における筐体５の姿勢変更に対する温度センサ２の測定温度の時間変化を示す図である。より具体的には、図６（ａ）は、温度センサ２を矩形状の筐体５の右下隅に配置した場合の温度センサ２の測定温度の時間変化を示す図である。図６（ｂ）は、温度センサ２を矩形状の筐体５の下端部の左右方向中央部に配置した場合の温度センサ２の測定温度の時間変化を示す図である。図６（ｃ）は、温度センサ２を矩形状の筐体５の左下隅に配置した場合の温度センサ２の測定温度の時間変化を示す図である。
【００４３】
図６（ａ）に示すように、温度センサ２を筐体５の右下隅に配置した場合、および図６（ｃ）に示すように、温度センサ２を筐体５の左下隅に配置した場合は、筐体５を「横向きの姿勢１」から「縦向きの姿勢１」へ姿勢を変更したときと、「横向きの姿勢１」から「縦向きの姿勢２」へ姿勢を変更したときと、「横向きの姿勢１」から「横向きの姿勢２」へ姿勢を変更したときとでは、それぞれ、温度センサ２の測定温度の温度勾配の値が異なる。そのため、姿勢判別を行うことが可能となる。
【００４４】
一方、図６（ｂ）に示すように、温度センサ２を筐体５の下端部の左右方向中央部に配置した場合、筐体５を「横向きの姿勢１」から「縦向きの姿勢１」へ姿勢を変更したときと筐体５を「横向きの姿勢１」から「縦向きの姿勢２」へ姿勢を変更したときとで、温度センサ２の測定温度における温度勾配の値が同じになり、筐体５におけるこの２つの姿勢変化を区別することができない。そのため、姿勢判別を行うことができない。
【００４５】
以上より、温度センサ２は、正面視にて矩形状の筐体５の四隅のうち１つの隅に配置されることが望ましい。
【００４６】
次に、姿勢判別の方法について図７を用いて説明する。図７は、筐体５の姿勢判別の手順を示すフローチャートである。
【００４７】
表示装置１００の電源が投入されると、温度センサ２は、面状光源１の温度を時間間隔Δｔ毎に測定する（ステップＳ１）。ＣＰＵ１０は、電源を投入してから予め設定された時間ｔａを経過しているか否かを判定する（ステップＳ２）。なお、電源を投入した直後は筐体５の内部の温度が安定しておらず、姿勢判別を正確に行うことができない可能性がある。そのため、電源投入後、姿勢判別を行うことができない時間として、時間ｔａが予め設定されている。
【００４８】
電源を投入してからｔａを経過している場合は（ステップＳ２：Ｙｅｓ）、ステップＳ３を実行する。一方、電源を投入してからｔａを経過していない場合は（ステップＳ２：Ｎｏ）、ステップＳ１に戻り、温度センサ２が次の温度を測定するまで待機する。
【００４９】
電源を投入してからｔａを経過している場合、温度勾配計算部９は、温度センサ２で測定した前回と今回の測定データから温度勾配を計算する（ステップＳ３）。ＣＰＵ１０は、温度勾配計算部９で計算された温度勾配の絶対値が予め設定された閾値Δａに達しているか否かを判定する（ステップＳ４）。なお、閾値Δａは、筐体５の姿勢を変更したときに生じる温度勾配の変化を検出するために設けられた閾値であり、温度勾配の変化を検出できる程度の値に予め設定されている。
【００５０】
温度勾配計算部９で計算された温度勾配の絶対値がΔａに達している場合は（ステップＳ４：Ｙｅｓ）、ステップＳ５を実行する。一方、温度勾配計算部９で計算された温度勾配の絶対値がΔａに達していない場合は（ステップＳ４：Ｎｏ）、ステップＳ１に戻り、温度センサ２が次の温度を測定するまで待機する。
【００５１】
温度勾配計算部９で計算された温度勾配の絶対値がΔａに達している場合、ＣＰＵ１０は、メモリ１１に予め記憶されている筐体５の姿勢の変更パターン毎の温度勾配の中に、温度勾配計算部９で計算された温度勾配に近い温度勾配があるか否かを判定する（ステップＳ５）。
【００５２】
温度勾配計算部９で計算された温度勾配に近い温度勾配がある場合は（ステップＳ５：Ｙｅｓ）、ステップＳ６を実行する。一方、温度勾配計算部９で計算された温度勾配に近い温度勾配がない場合は（ステップＳ５：Ｎｏ）、ステップＳ１に戻り、温度センサ２が次の温度を測定するまで待機する。
【００５３】
温度勾配計算部９で計算された温度勾配に近い温度勾配がある場合、ＣＰＵ１０は、温度勾配計算部９で計算された温度勾配に近い温度勾配に対応する姿勢を筐体５の現在の姿勢として判別する（ステップＳ６）。その後、ＣＰＵ１０で判別された現在の姿勢情報は、表示切替え回路１２へ出力される。表示切替え回路１２は、入力された姿勢情報に応じて表示パネル４に表示される映像の向きを切替えて（ステップＳ７）、終了する。
【００５４】
以上のように、実施の形態１に係る表示装置１００では、制御部６は、温度センサ２で測定された温度変化を用いて温度勾配の計算を行い、計算された温度勾配と、予め記憶されている筐体５の姿勢の変更パターン毎の温度勾配とに基づいて筐体５の現在の姿勢を判別する。したがって、温度センサ３で測定された温度が飽和するまで姿勢判別を待つ必要がないため、筐体５の姿勢を判別するまでの時間を短縮することができる。
【００５５】
筐体５は正面視にて矩形状であり、温度センサ２は、筐体５の四隅のうち１つの隅に配置された。したがって、筐体５に対していずれの姿勢変更を行っても、温度センサの温度勾配が大きく変化するため、より精度良く姿勢判別を行うことができる。
【００５６】
また、１つの温度センサ２だけで筐体５の現在の姿勢を判別することができるため、温度センサ２の部品コストを抑えることができ、ひいては表示装置１００の製造コストを抑えることができる。
【００５７】
＜実施の形態２＞
次に、実施の形態２に係る表示装置１００について説明する。図８は、実施の形態２に係る表示装置１００が備える制御部１３の構成を示す概略ブロック図である。なお、実施の形態２において、実施の形態１で説明したものと同一の構成要素については同一符号を付して説明は省略する。
【００５８】
実施の形態１では、表示装置１００は温度センサ２を１つだけ備えていたが、図８に示すように、実施の形態２では、表示装置１００は温度センサ２を複数備え、さらに制御部６に代えて制御部１３を備えている。また、実施の形態２では、複数の温度センサ２におけるそれぞれの測定温度から計算された複数の温度勾配を、温度センサ２毎に個別に用いて、筐体５の現在の姿勢を判別している。以下、実施の形態１に係る表示装置１００と異なる点について説明する。
【００５９】
表示装置１００は、ｎ個の温度センサ２＿１、２＿２、・・・、２＿ｎを備えている。制御部１３は、ｎ個の受信回路７＿１、７＿２、・・・、７＿ｎ、ｎ個のＡ／Ｄ変換回路８＿１、８＿２、・・・、８＿ｎ、ｎ個の温度勾配計算部９＿１、９＿２、・・・、９＿ｎ、メモリ１５、および判別部としてのＣＰＵ１４を備えている。なお、ｎは２以上の整数とする。
【００６０】
ｎ個の受信回路７＿１、７＿２、・・・、７＿ｎ、ｎ個のＡ／Ｄ変換回路８＿１、８＿２、・・・、８＿ｎ、およびｎ個の温度勾配計算部９＿１、９＿２、・・・、９＿ｎは、ｎ個の温度センサ２＿１、２＿２、・・・、２＿ｎに対応して設けられている。メモリ１５は、ｎ個の温度センサ２＿１、２＿２、・・・、２＿ｎ毎に筐体５の姿勢の変更パターン毎の温度勾配を予め記憶している。
【００６１】
ＣＰＵ１４は、温度勾配計算部９＿１、９＿２、・・・、９＿ｎでそれぞれ計算された温度勾配とメモリ１５に温度センサ２＿１、２＿２、・・・、２＿ｎ毎に予め記憶されている筐体５の姿勢の変更パターン毎の温度勾配とを個別に比較して、筐体５の現在の姿勢を判別している。なお、温度勾配計算部９＿１、９＿２、・・・、９＿ｎはＣＰＵで構成されており、温度勾配計算部９＿１、９＿２、・・・、９＿ｎとＣＰＵ１４は１つのＣＰＵで構成されていてもよい。
【００６２】
次に、温度センサの取付け位置について図９から図１１を用いて説明する。なお、便宜上、温度センサの数を２個にした場合を例に説明を行う。また、２つの温度センサをそれぞれ２＿Ａ、２＿Ｂとする。
【００６３】
まず、図９に示すように、温度センサ２＿Ａ、２＿Ｂを正面視にて矩形状の筐体５の長辺と平行に配置した場合について考える。図９は、温度センサ２＿Ａ、２−Ｂを筐体５の長辺と平行に配置した場合における筐体５の姿勢変更に対する温度センサ２＿Ａ、２−Ｂの測定温度の時間変化を示す図である。より具体的には、図９（ａ）は、温度センサ２＿Ａ、２−Ｂを筐体５の左右下隅に配置した場合の温度センサ２＿Ａ、２−Ｂの測定温度の時間変化を示す図である。図９（ｂ）は、温度センサ２＿Ａ、２−Ｂを筐体５の左右端部の上下方向中央部に配置した場合の温度センサ２＿Ａ、２−Ｂの測定温度の時間変化を示す図である。図９（ｃ）は、温度センサ２＿Ａ、２−Ｂを筐体５の左右上隅に配置した場合の温度センサ２の測定温度の時間変化を示す図である。
【００６４】
図９（ａ）に示すように、筐体５を「横向きの姿勢１」にしたときの筐体５の右下隅に温度センサ２＿Ａを、筐体５の左下隅に温度センサ２＿Ｂを配置する。筐体５を「横向きの姿勢１」から「縦向きの姿勢１」へ姿勢を変更したとき、温度センサ２＿Ａの位置が筐体５の下部から筐体５の上部へ移動するため、温度センサ２＿Ａに流入する熱量が急増し、姿勢を変更した前後の温度変化が大きくなり、図９（ａ）の左下の２＿Ａの曲線のように、温度勾配は大きくなる。
【００６５】
一方、温度センサ２＿Ｂの位置は筐体５の下部のままで殆ど変化が無いため、温度センサ２＿Ｂに流入する熱量に殆ど変化は無く、姿勢を変更した前後の温度変化も小さくなり、図９（ａ）の左下の２＿Ｂの曲線のように、温度勾配も小さくなる。
【００６６】
次に、筐体５を「横向きの姿勢１」から「縦向きの姿勢２」へ姿勢を変更したとき、温度センサ２＿Ａの測定温度は図９（ａ）の中下の２＿Ａの曲線のように温度勾配が小さくなり、温度センサ２＿Ｂの測定温度は図９（ａ）の中下の２＿Ｂの曲線のように温度勾配が大きくなる。
【００６７】
また、筐体５を「横向きの姿勢１」から「横向きの姿勢２」へ姿勢を変更したとき、温度センサ２＿Ａ、２＿Ｂの測定温度は共に図９（ａ）の右下の２＿Ａおよび２＿Ｂの曲線のように温度勾配が大きくなる。
【００６８】
したがって、図９（ａ）に示すように、筐体５を「横向きの姿勢１」にしたときの筐体５の右下隅に温度センサ２＿Ａを、筐体５の左下隅に温度センサ２＿Ｂを配置すると、筐体５を「横向きの姿勢１」から「縦向きの姿勢１」へ姿勢を変更したときと、「横向きの姿勢１」から「縦向きの姿勢２」へ姿勢を変更したときと、「横向きの姿勢１」から「横向きの姿勢２」へ姿勢を変更したときとでは、それぞれ、温度センサ２＿Ａ、２＿Ｂの測定温度の温度勾配の値の組み合わせが異なる。そのため、姿勢判別を行うことが可能となる。
【００６９】
次に、図９（ｂ）に示すように、筐体５を「横向きの姿勢１」にしたときの筐体５の右端部の上下方向中央部に温度センサ２＿Ａを、筐体５の左端部の上下方向中央部に温度センサ２＿Ｂを配置する。筐体５を「横向きの姿勢１」から「縦向きの姿勢１」へ姿勢を変更したとき、「横向きの姿勢１」から「縦向きの姿勢２」へ姿勢を変更したとき、「横向きの姿勢１」から「横向きの姿勢２」へ姿勢を変更したときの温度センサ２＿Ａの測定温度は、それぞれ、図９（ｂ）の左下、中下、右下に示す２＿Ａの曲線のように変化し、温度センサ２＿Ｂの測定温度は、それぞれ、図９（ｂ）の左下、中下、右下に示す２＿Ｂの曲線のように変化する。
【００７０】
このとき、筐体５を「横向きの姿勢１」から「横向きの姿勢２」へ姿勢を変更すると、図９（ｂ）の右下の２＿Ａおよび２＿Ｂの曲線のように、姿勢を変更しても温度センサ２＿Ａおよび２＿Ｂの測定温度は共に全く変化せず、温度勾配の値も共に０のままである。そのため、姿勢判別を行うことができない。
【００７１】
次に、図９（ｃ）に示すように、筐体５を「横向きの姿勢１」にしたときの筐体５の右上隅に温度センサ２＿Ａを、筐体５の左上隅に温度センサ２＿Ｂを配置する。筐体５を「横向きの姿勢１」から「縦向きの姿勢１」へ姿勢を変更したとき、「横向きの姿勢１」から「縦向きの姿勢２」へ姿勢を変更したとき、「横向きの姿勢１」から「横向きの姿勢２」へ姿勢を変更したときの温度センサ２＿Ａの測定温度は、それぞれ、図９（ｃ）の左下、中下、右下に示す２＿Ａの曲線のように変化し、温度センサ２＿Ｂの測定温度は、それぞれ、図９（ｃ）の左下、中下、右下に示す２＿Ｂの曲線のように変化する。
【００７２】
したがって、図９（ｃ）に示すように、筐体５を「横向きの姿勢１」にしたときの筐体５の右上隅に温度センサ２＿Ａを、筐体５の左上隅に温度センサ２＿Ｂを配置すると、筐体５を「横向きの姿勢１」から「縦向きの姿勢１」へ姿勢を変更したときと、「横向きの姿勢１」から「縦向きの姿勢２」へ姿勢を変更したときと、「横向きの姿勢１」から「横向きの姿勢２」へ姿勢を変更したときとでは、それぞれ、温度センサ２＿Ａ、２＿Ｂの測定温度の温度勾配の値の組み合わせが異なる。そのため、姿勢判別を行うことが可能となる。
【００７３】
同様に、図１０に示すように、温度センサ２＿Ａ、２＿Ｂを正面視にて矩形状の筐体５の短辺と平行に配置した場合について考える。図１０は、温度センサ２＿Ａ、２＿Ｂを筐体５の短辺と平行に配置した場合における筐体５の姿勢変更に対する温度センサ２＿Ａ、２＿Ｂの測定温度の時間変化を示す図である。より具体的には、図１０（ａ）は、温度センサ２＿Ａ、２＿Ｂを筐体５の右下隅および右上隅に配置した場合の温度センサ２＿Ａ、２＿Ｂの測定温度の時間変化を示す図である。図１０（ｂ）は、温度センサ２＿Ａ、２＿Ｂを筐体５の下端部および上端部の左右方向中央部に配置した場合の温度センサ２＿Ａ、２＿Ｂの測定温度の時間変化を示す図である。図１０（ｃ）は、温度センサ２＿Ａ、２＿Ｂを筐体５の左下隅および左上隅に配置した場合の温度センサ２＿Ａ、２＿Ｂの測定温度の時間変化を示す図である。
【００７４】
図１０（ａ）に示すように、温度センサ２＿Ａ、２＿Ｂをそれぞれ筐体５の右下隅、右上隅に配置した場合および図１０（ｃ）に示すように、温度センサ２＿Ａ、２＿Ｂをそれぞれ筐体５の左下隅、左上隅に配置した場合では、筐体５を「横向きの姿勢１」から「縦向きの姿勢１」へ姿勢を変更したときと、「横向きの姿勢１」から「縦向きの姿勢２」へ姿勢を変更したときと、「横向きの姿勢１」から「横向きの姿勢２」へ姿勢を変更したときとでは、それぞれ、温度センサ２＿Ａ、２＿Ｂの測定温度の温度勾配の値の組み合わせが異なる。そのため、姿勢判別を行うことが可能となる。
【００７５】
一方、図１０（ｂ）に示すように、温度センサ２＿Ａ、２＿Ｂをそれぞれ筐体５の下端部の中央部、上端部の中央部に配置した場合、筐体５を「横向きの姿勢１」から「縦向きの姿勢１」へ姿勢を変更したときと筐体５を「横向きの姿勢１」から「縦向きの姿勢２」へ姿勢を変更したときとで、温度センサ２＿Ａ、２＿Ｂの測定温度における温度勾配の値の組み合わせが同じになり、筐体５におけるこの２つの姿勢変更を区別することができない。そのため、姿勢判別を行うことができない。
【００７６】
さらに、図１１に示すように、温度センサ２＿Ａ、２＿Ｂを正面視にて矩形状の筐体５の四隅のそれぞれ対角になる位置に配置した場合について考える。図１１は、温度センサ２＿Ａ、２＿Ｂを筐体５の四隅の対角となる位置に配置した場合における筐体５の姿勢変更に対する温度センサ２＿Ａ、２＿Ｂの測定温度の時間変化を示す図である。より具体的には、図１１（ａ）は、温度センサ２＿Ａ、２＿Ｂを筐体５の右下隅および左上隅に配置した場合の温度センサ２＿Ａ、２＿Ｂの測定温度の時間変化を示す図である。図１１（ｂ）は、温度センサ２＿Ａ、２＿Ｂを筐体５の右上隅および左下隅に配置した場合の温度センサ２＿Ａ、２＿Ｂの測定温度の時間変化を示す図である。
【００７７】
図１１（ａ）に示すように、温度センサ２＿Ａ、２＿Ｂをそれぞれ筐体５の右下隅、左上隅に配置した場合の筐体５を「横向きの姿勢１」から「縦向きの姿勢２」へ姿勢を変更したときおよび図１１（ｂ）に示すように温度センサ２＿Ａ、２＿Ｂをそれぞれ筐体５の右上隅、左下隅に配置した場合の筐体５を「横向きの姿勢１」から「縦向きの姿勢１」へ姿勢を変更したとき、姿勢判別を行うことは可能だが、温度センサ２＿Ａ、２＿Ｂの測定温度における温度勾配が共に小さい。そのため、姿勢判別を行い難い状態になっている。
【００７８】
以上より、温度センサ２＿Ａ、２＿Ｂは、正面視にて矩形状の筐体５の四隅のうち、長辺と平行に配置されることが望ましい。なお、表示装置１００が温度センサを３個以上備える場合は、筐体５の四隅のうち、長辺と平行に配置されている２個の温度センサ２＿Ａ、２＿Ｂに加えて、長辺と平行であって温度センサ２＿Ａ、２＿Ｂと重ならない位置に温度センサを配置してもよいし、温度センサ２＿Ａ、２＿Ｂの対角となる位置に温度センサを配置してもよい。
【００７９】
次に、本実施の形態２の姿勢判別の方法について図１２を用いて説明する。図１２は、実施の形態２に係る表示装置１００が備える筐体５の姿勢判別の手順を示すフローチャートである。
【００８０】
まず、ＣＰＵ１４は、ｎ個の温度センサ２＿１、２＿２、・・・、２＿ｎ毎に、実施の形態１と同じ方法で姿勢判別を行う（ステップＳ１１）。次に、ＣＰＵ１４は、姿勢を判別した結果を集計する。具体的には、ＣＰＵ１４は、複数の温度センサ２＿１、２＿２、・・・、２＿ｎ毎に行われた姿勢判別の結果のうち、最も判別された数の多い姿勢が１つに絞られているか否かを判定する（ステップＳ１２）。最も判別された数の多い姿勢が１つに絞られている場合は（ステップＳ１２：Ｙｅｓ）、ステップＳ１３を実行する。一方、最も判別された数の多い姿勢が複数ある場合は（ステップＳ１２：Ｎｏ）、ステップＳ１４を実行する。
【００８１】
最も判別された数の多い姿勢が１つに絞られている場合、ＣＰＵ１４は、判別された数の最も多い姿勢を筐体５の現在の姿勢とする（ステップＳ１３）。なお、温度センサ２＿１、２＿２、・・・、２＿ｎ毎に行われた姿勢判別の結果から、最も判別された数の多い姿勢を特定し、特定された姿勢を筐体５の現在の姿勢とする処理を「多数決処理」という。
【００８２】
最も判別された数の多い姿勢が複数ある場合、多数決処理による姿勢判別を行うことができないため、ＣＰＵ１４は、各温度センサ２＿１、２＿２、・・・、２＿ｎ毎に計算され、温度センサ２＿１、２＿２、・・・、２＿ｎ毎に姿勢判別を行った際に用いられた温度勾配の値を比較し（ステップＳ１４）、最も大きい温度勾配を持つ温度センサの姿勢判別結果を、筐体５の現在の姿勢とする（ステップＳ１５）。すなわち、最も大きい温度勾配に対応する姿勢を、筐体５の現在の姿勢とする。
【００８３】
なお、最も判別された数の多い姿勢が複数ある場合に、各温度センサ２＿１、２＿２、・・・、２＿ｎ毎に計算された温度勾配を比較し、比較された温度勾配の中で、最も大きい温度勾配に対応する姿勢を筐体５の現在の姿勢とする処理を「温度勾配の比較処理」という。
【００８４】
多数決処理または温度勾配の比較処理の後、ＣＰＵ１４で判別された現在の姿勢情報は表示切替え回路１２へ出力され、表示切替え回路１２は入力された姿勢情報に応じて表示パネル４に表示される映像の向きを切替えて（ステップＳ７）、終了する。
【００８５】
以上のように、実施の形態２に係る表示装置１００は、温度センサ２＿１、２＿２、・・・、２＿ｎを複数備え、筐体５は正面視にて矩形状であり、複数の温度センサ２＿１、２＿２、・・・、２＿ｎのうち少なくとも２つの温度センサは、筐体５の長辺と平行に配置された。したがって、筐体５に対していずれの姿勢変更を行っても、各姿勢変更に対する各温度センサ２＿１、２＿２、・・・、２＿ｎの測定温度における温度勾配の値の組み合わせが異なるため、より精度良く姿勢判別を行うことができる。
【００８６】
複数の温度センサ２＿１、２＿２、・・・、２＿ｎのうち少なくとも１つの温度センサは、筐体５の長辺と平行に配置された温度センサの対角となる位置に配置された。したがって、表示装置１００が温度センサを３個以上備える場合に、筐体５に対していずれの姿勢変更を行っても、温度センサの温度勾配が大きく変化するため、より精度良く姿勢判別を行うことができる。
【００８７】
制御部１３は、各温度センサ２＿１、２＿２、・・・、２＿ｎで測定された温度変化を用いて温度勾配の計算を行い、計算された温度勾配と、予め記憶されている筐体５の姿勢の変更パターン毎の温度勾配とに基づいて各温度センサ２＿１、２＿２、・・・、２＿ｎ毎に筐体５の現在の姿勢を判別した結果を集計し、最も判別された数の多い姿勢を筐体５の現在の姿勢とする処理である多数決処理、または、最も判別された数の多い姿勢が複数ある場合に、最も大きい温度勾配に対応する姿勢を筐体５の現在の姿勢とする処理である温度勾配の比較処理を行うことで筐体５の現在の姿勢を判別する。
【００８８】
したがって、多数決処理を採用することにより、簡単な処理で精度の高い姿勢判別を行うことができる。また、温度勾配の比較処理を採用することにより、姿勢判別の誤りを抑制し、姿勢判別の精度を高めることができる。
【００８９】
＜実施の形態３＞
次に、実施の形態３に係る表示装置１００について説明する。図１３は、実施の形態３に係る表示装置１００が備える筐体５の姿勢判別の手順を示すフローチャートである。なお、実施の形態３において、実施の形態１，２で説明したものと同一の構成要素については同一符号を付して説明は省略する。
【００９０】
実施の形態３では、表示装置１００は実施の形態２の場合と同様の構成を備えている。制御部１３は、各温度センサ２＿１、２＿２、・・・、２＿ｎで測定された温度変化を用いて温度勾配の計算を行い、計算された温度勾配の組み合わせと、予め記憶されている筐体５の姿勢の変更パターン毎の温度勾配の組み合わせとに基づいて姿勢判別を行っている。
【００９１】
実施の形態３の制御部１３の構成は実施の形態２の場合と同じであるため、図８を用いて制御部１３の動作を説明する。
【００９２】
図８に示すように、メモリ１５は、ｎ個の温度センサ２＿１、２＿２、・・・、２＿ｎ毎に筐体５の姿勢の変更パターン毎の温度勾配の組み合わせを予め記憶している。ＣＰＵ１４は、温度勾配計算部９＿１、９＿２、・・・、９＿ｎでそれぞれ計算された各温度センサ２＿１、２＿２、・・・、２＿ｎの温度勾配の組み合わせと、メモリ１５に温度センサ２＿１、２＿２、・・・、２＿ｎ毎に予め記憶されている筐体５の姿勢の変更パターン毎の温度勾配の組み合わせとを比較して、温度勾配計算部９＿１、９＿２、・・・、９＿ｎで計算された温度勾配の組み合わせに近い温度勾配の組み合わせを、メモリ１５に予め記憶されている温度勾配の組み合わせの中から選択し、選択された温度勾配の組み合わせに対応する姿勢を筐体５の現在の姿勢として判別している。
【００９３】
なお、温度勾配計算部９＿１、９＿２、・・・、９＿ｎで計算された温度勾配の組み合わせに近い温度勾配の組み合わせの選択は、次のとおり行われる。まず、メモリ１５に予め記憶されている温度勾配の値の前後には、それぞれ、予め閾値が設けられている。ＣＰＵ１４は、温度勾配計算部９＿１、９＿２、・・・、９＿ｎで計算された温度勾配の値が、メモリ１８に記憶されている温度勾配の閾値の間の範囲内に入っているか否かを温度センサ２＿１、２＿２、・・・、２＿ｎ毎に判定する。ある姿勢の変更パターンにおいて、温度勾配計算部９＿１、９＿２、・・・、９＿ｎで計算された温度勾配の値がすべてメモリ１５に記憶されている温度センサ２＿１、２＿２、・・・、２＿ｎの温度勾配の閾値の間の範囲内に入った場合、その姿勢の変更パターンの温度勾配の組み合わせを、温度勾配計算部９＿１、９＿２、・・・、９＿ｎで計算された温度勾配の組み合わせに近い温度勾配の組み合わせとして選択する。また、温度勾配計算部９＿１、９＿２、・・・、９＿ｎで計算された温度勾配の値がすべてメモリ１５に記憶されている温度センサ２＿１、２＿２、・・・、２＿ｎの温度勾配の閾値の間の範囲内に入る姿勢の変化パターンがない場合、ＣＰＵ１４は姿勢の変更が行われていないものと判別する。
【００９４】
次に、本実施の形態３の姿勢判別の方法について図１３を用いて説明する。図１３は、実施の形態３に係る表示装置１００が備える筐体５の姿勢判別の手順を示すフローチャートである。
【００９５】
まず、ＣＰＵ１４は、ｎ個の温度センサ２＿１、２＿２、・・・、２＿ｎ毎に、実施の形態１と同じ方法で温度勾配を計算する（ステップＳ２１）。次に、ＣＰＵ１４は、温度勾配計算部９＿１、９＿２、・・・、９＿ｎで計算された温度勾配のうち、絶対値が予め設定された閾値Δａに達しているものが１つでもあるか否かを判定する（ステップＳ２２）。
【００９６】
温度勾配計算部９＿１、９＿２、・・・、９＿ｎで計算された温度勾配のうち、絶対値が予め設定された閾値Δａに達しているものが１つでもある場合は、ステップＳ２３を実行する（ステップＳ２２：Ｙｅｓ）。一方、温度勾配計算部９＿１、９＿２、・・・、９＿ｎで計算された温度勾配のうち、絶対値が予め設定された閾値Δａに達しているものが１つもない場合は、ステップＳ２１に戻り、温度センサ２＿１、２＿２、・・・、２＿ｎが次の温度を測定するまで待機する（ステップＳ２２：Ｎｏ）。
【００９７】
温度勾配計算部９＿１、９＿２、・・・、９＿ｎで計算された温度勾配のうち、絶対値が予め設定された閾値Δａに達しているものが１つでもある場合、ＣＰＵ１７は、メモリ１８に予め記憶されている、筐体５の各姿勢の変化パターンに対する各温度センサ２＿１、２＿２、・・・、２＿ｎの温度勾配の組み合わせの中に、温度勾配計算部９＿１、９＿２、・・・、９＿ｎで計算された温度勾配の組み合わせに近いものがあるか否かを判定する（ステップＳ２３）。
【００９８】
例えば、「横向きの姿勢１」、「横向きの姿勢２」、「縦向きの姿勢１」、「縦向きの姿勢２」の４通りの姿勢を取り得る表示装置１００において、筐体５の姿勢を「横向きの姿勢１」から変更したと仮定する。ＣＰＵ１４は、メモリ１５に予め記憶されている全１２通りの変更パターンに対する各温度センサ２＿１、２＿２、・・・、２＿ｎの温度勾配の値の組み合わせのうち、前回の姿勢が「横向きの姿勢１」である、「横向きの姿勢１→横向きの姿勢２」、「横向きの姿勢１→縦向きの姿勢１」、「横向きの姿勢１→縦向きの姿勢２」の３通りの変更パターンに対する各温度センサ２＿１、２＿２、・・・、２＿ｎの温度勾配の組み合わせを選び、その３通りの変更パターンに対する温度勾配の組み合わせの中に、温度勾配計算部９＿１、９＿２、・・・、９＿ｎで計算された温度勾配の組み合わせに近いものがあるか否かを判定する。
【００９９】
温度勾配計算部９＿１、９＿２、・・・、９＿ｎで計算された温度勾配の組み合わせに近いものがある場合は、ステップＳ２４を実行する（ステップＳ２３：Ｙｅｓ）。一方、温度勾配計算部９＿１、９＿２、・・・、９＿ｎで計算された温度勾配の組み合わせに近いものがない場合は、ステップＳ２１に戻り、温度センサ２＿１、２＿２、・・・、２＿ｎが次の温度を測定するまで待機する（ステップＳ２３：Ｎｏ）。
【０１００】
温度勾配計算部９＿１、９＿２、・・・、９＿ｎで計算された温度勾配の組み合わせに近いものがある場合、ＣＰＵ１４は、温度勾配計算部９＿１、９＿２、・・・、９＿ｎで計算された温度勾配の組み合わせに近い温度勾配の組み合わせを持つ姿勢の変更パターンから筐体５の現在の姿勢を判別する（ステップＳ２４）。すなわち、ＣＰＵ１４は、温度勾配計算部９＿１、９＿２、・・・、９＿ｎで計算された温度勾配の組み合わせに近い温度勾配の組み合わせに対応する姿勢を筐体５の現在の姿勢として判別する。その後、ＣＰＵ１４で判別された現在の姿勢情報は、表示切替え回路１２へ出力され、表示切替え回路１２は入力された姿勢情報に応じて表示パネル４に表示される映像の向きを切替えて（ステップＳ７）、終了する。
【０１０１】
以上のように、実施の形態３に係る表示装置１００では、制御部１３は、各温度センサ２＿１、２＿２、・・・、２＿ｎで測定された温度変化を用いて温度勾配の計算を行い、計算された温度勾配の組み合わせと、予め記憶されている筐体５の姿勢の変更パターン毎の温度勾配の組み合わせとに基づいて筐体５の現在の姿勢を判別する。したがって、より精度の高い姿勢判別を行うことができる。
【０１０２】
なお、本発明は、その発明の範囲内において、各実施の形態を自由に組み合わせたり、各実施の形態を適宜、変形、省略することが可能である。
【符号の説明】
【０１０３】
１  面状光源、２  温度センサ、４  表示パネル、５  筐体、６，１３  制御部、１２  表示切替え回路、１００  表示装置。
【図１】
2020034710.tif 000003
【図２】
2020034710.tif 000004
【図３】
2020034710.tif 000005
【図４】
2020034710.tif 000006
【図５】
2020034710.tif 000007
【図６】
2020034710.tif 000008
【図７】
2020034710.tif 000009
【図８】
2020034710.tif 000010
【図９】
2020034710.tif 000011
【図１０】
2020034710.tif 000012
【図１１】
2020034710.tif 000013
【図１２】
2020034710.tif 000014
【図１３】
2020034710.tif 000015